(57)【要約】【課題】  経験の浅いオペレータであっても、目視で容易に湿し水供給量が不足するのか過多であるのかを容易に判断することが可能な湿し水管理用スケールおよび湿し水制御方法を提供すること。【解決手段】  第１の検出パッチＰＹ、ＰＭ、ＰＣ、ＰＫは、その線数が４００線であり、総面積に対する画線部の面積の割合を示すデューティ比（面積比）が６７％である万線パッチから構成される。また、第２の検出パッチＲＹ、ＲＭ、ＲＣ、ＲＫは、その線数が１５０線である網点パッチから構成される。そして、その網点面積率は、例えば、ＲＹ１、ＲＭ１、ＲＣ１、ＲＫ１が９６％、ＲＹ２、ＲＭ２、ＲＣ２、ＲＫ２が９４％、ＲＹ３、ＲＭ３、ＲＣ３、ＲＫ３が８８％、ＲＹ４、ＲＭ４、ＲＣ４、ＲＫ４が８４％、ＲＹ５、ＲＭ５、ＲＣ５、ＲＫ５が８０％となっている。【選択図】        図３
2009056760.tif 000002
【特許請求の範囲】
【請求項１】
湿し水の供給量を管理するための湿し水管理用スケールであって、
線数が２００線以上で面積比が６０％以上の万線または網点からなる第１の検出パッチと、線数が前記第１の検出パッチより小さく面積比が前記第１の検出パッチより大きい万線または網点からなる第２の検出パッチとを備え、
前記第２の検出パッチは、湿し水の供給量を適正に制御したときの濃度が前記第１の検出パッチの濃度と近くなるような、互いに異なる面積比を有する複数の検出パッチより構成されるとともに、
印刷版における印刷方向に対して直交する方向の両端付近において、印刷方向を長手方向として配置されていることを特徴とする湿し水管理用スケール。
【請求項２】
請求項１に記載の湿し水管理用スケールにおいて、
湿し水の供給量を適正に制御したときに、前記第１の検出パッチの濃度と、前記複数の第２の検出パッチのうちのいずれかの検出パッチとの濃度とが略同一となるように、前記第１の検出パッチおよび前記第２の検出パッチの面積比または線数を調整した湿し水管理用スケール。
【請求項３】
請求項２に記載の湿し水管理用スケールにおいて、
前記第１の検出パッチの線数を３００線以上とした湿し水管理用スケール。
【請求項４】
請求項２に記載の湿し水管理用スケールにおいて、
前記第２の検出パッチの線数を２００線未満とした湿し水管理用スケール。
【請求項５】
請求項２乃至請求項４のいずれかに記載の湿し水管理用スケールにおいて、
前記第１の検出パッチは万線からなり、前記第２の検出パッチは網点からなる湿し水管理用スケール。
【請求項６】
請求項２乃至請求項５のいずれかに記載の湿し水管理用スケールにおいて、
前記第１の検出パッチと前記第２の検出パッチのいずれか一方を、他方の内部に隣接して配置した湿し水管理用スケール。
【請求項７】
請求項６に記載の湿し水管理用スケールにおいて、
前記第１の検出パッチと前記第２の検出パッチは、イエロー、マゼンタ、シアン、ブラックの各色ごとに各々隣接して配設される湿し水管理用スケール。
【請求項８】
請求項１乃至請求項７のいずれかに記載の湿し水管理用スケールを用いた湿し水制御方法であって、
請求項１乃至請求項７のいずれかに記載の湿し水管理用スケールの画像を印刷する印刷工程と、
前記印刷工程で印刷された第１の検出パッチと前記第２の検出パッチの画像を比較して、湿し水の供給量の適否を判定する判定工程と、
前記判定工程において湿し水の供給量が不適切と判定された場合には湿し水の供給量を増減させる調整を実施する調整工程と、
を備えたことを特徴とする湿し水制御方法。
【請求項９】
湿し水の供給量を管理するための湿し水管理用スケールを使用して湿し水の供給量を制御する湿し水制御方法であって、
線数が２００線以上で面積比が６０％以上の万線または網点からなる第１の検出パッチと、線数が前記第１の検出パッチより小さく面積比が前記第１の検出パッチより大きい万線または網点からなる第２の検出パッチとを備え、前記第２の検出パッチは、湿し水の供給量を適正に制御したときの濃度が前記第１の検出パッチの濃度と近くなるような、互いに異なる面積比を有する複数の検出パッチより構成されるとともに、印刷版における印刷方向に対して直交する方向の両端付近において、印刷方向を長手方向として配置された湿し水管理用スケールを備えた印刷版を製版する製版工程と、
前記製版工程で製版した印刷版を用い、適正な湿し水の供給量で印刷を行うテスト印刷工程と、
前記テスト印刷工程で印刷した印刷物における前記第１の検出パッチと前記複数の第２の検出パッチのうちのいずれかの第２の検出パッチの濃度が一致するような前記第１の検出パッチの面積比または線数と前記第２の検出パッチの面積比または線数との組み合わせを認定する認定工程と、
実際の印刷物の絵柄とともに、前記認定工程で認定した面積比または線数を有する前記第１の検出パッチと前記第２の検出パッチの画像を印刷する印刷工程と、
前記印刷工程で印刷された第１の検出パッチと第２の検出パッチの画像を比較して、湿し水の供給量の適否を判定する判定工程と、
前記判定工程において湿し水の供給量が不適切と判定された場合には湿し水の供給量を増減させる調整を実施する調整工程と、
を備えたことを特徴とする湿し水制御方法。
【請求項１０】
請求項８または請求項９に記載の湿し水制御方法において、
印刷後の湿し水管理用スケールの画像を撮像部により撮像し、この画像を表示画面上に拡大表示する湿し水制御方法。
【発明の詳細な説明】
【技術分野】
【０００１】
この発明は、湿し水管理用スケールおよびこの湿し水管理用スケールを用いた湿し水制御方法に関する。
【背景技術】
【０００２】
湿し水を用いた平版印刷においては、湿し水の供給量により印刷品質が左右することが知られている。このため、一般的には、経験豊かなオペレータが、印刷物を目視確認して経験的に湿し水の供給量を決定しているのが現状である。また、版面や湿し水ロ−ラ表面での湿し水の水膜厚を計測し、これを一定に保持するような制御を行う従来技術もある。
【０００３】
これに対して本出願人は、湿し水の変化により濃度が変化する検出パッチを印刷物の画像とともに印刷し、この検出パッチの濃度を計測しながら湿し水の供給量の制御を行う湿し水の供給方法を提案している（特許文献１参照）。
【０００４】
また、印刷を実行中にオペレータが目視確認により、湿し水の供給量の適否を確認したいという要請も残されている。このため、本出願人は、線数が２００線以上で面積比が６０％以上の万線または網点からなる第１の検出パッチと、線数が第１の検出パッチより小さく面積比が第１の検出パッチより大きい万線または網点からなる第２の検出パッチとを備え、湿し水の供給量を適正に制御したときに第１の検出パッチの濃度と第２の検出パッチとの濃度とが略同一となるように、第１の検出パッチおよび第２の検出パッチの面積比または線数を調整することにより、経験の浅いオペレータであっても、目視で容易に湿し水供給量の適否を判断することが可能な湿し水管理用スケールを提案している（特許文献２参照）。
【特許文献１】特開２００２−３５５９５０号公報
【特許文献２】特開２００６−２５６３００号公報
【発明の開示】
【発明が解決しようとする課題】
【０００５】
特許文献２に記載の湿し水管理用スケールによれば、経験の浅いオペレータであっても、目視で容易に湿し水供給量の適否を判断することが可能となる。しかしながら、さらに経験の浅いオペレータの場合には、第１の検出パッチの濃度と第２の検出パッチとの濃度とが一致しない場合には、湿し水の供給量が不足なのか過剰なのかを判断することが困難となる。
【０００６】
この発明は上記課題を解決するためになされたものであり、経験の浅いオペレータであっても、目視で容易に湿し水供給量が不足なのか過多であるのかを容易に判断することが可能な湿し水管理用スケールおよび湿し水制御方法を提供することを目的とする。
【課題を解決するための手段】
【０００７】
請求項１に記載の発明は、湿し水の供給量を管理するための湿し水管理用スケールであって、線数が２００線以上で面積比が６０％以上の万線または網点からなる第１の検出パッチと、線数が前記第１の検出パッチより小さく面積比が前記第１の検出パッチより大きい万線または網点からなる第２の検出パッチとを備え、前記第２の検出パッチは、湿し水の供給量を適正に制御したときの濃度が前記第１の検出パッチの濃度と近くなるような、互いに異なる面積比を有する複数の検出パッチより構成されるとともに、印刷版における印刷方向に対して直交する方向の両端付近において、印刷方向を長手方向として配置されていることを特徴とする。
【０００８】
請求項２に記載の発明は、請求項１に記載の発明において、湿し水の供給量を適正に制御したときに、前記第１の検出パッチの濃度と、前記複数の第２の検出パッチのうちのいずれかの検出パッチとの濃度とが略同一となるように、前記第１の検出パッチおよび前記第２の検出パッチの面積比または線数を調整した。
【０００９】
請求項３に記載の発明は、請求項２に記載の発明において、前記第１の検出パッチの線数を３００線以上とした。
【００１０】
請求項４に記載の発明は、請求項２に記載の発明において、前記第２の検出パッチの線数を２００線未満とした。
【００１１】
請求項５に記載の発明は、請求項２乃至請求項４のいずれかに記載の発明において、前記第１の検出パッチは万線からなり、前記第２の検出パッチは網点からなる。
【００１２】
請求項６に記載の発明は、請求項２乃至請求項５のいずれかに記載の発明において、前記第１の検出パッチと前記第２の検出パッチのいずれか一方を、他方の内部に隣接して配置した。
【００１３】
請求項７に記載の発明は、請求項６に記載の発明において、前記第１の検出パッチと前記第２の検出パッチは、イエロー、マゼンタ、シアン、ブラックの各色ごとに各々隣接して配設される。
【００１４】
請求項８に記載の発明は、請求項１乃至請求項７のいずれかに記載の湿し水管理用スケールを用いた湿し水制御方法であって、請求項１乃至請求項７のいずれかに記載の湿し水管理用スケールの画像を印刷する印刷工程と、前記印刷工程で印刷された第１の検出パッチと前記第２の検出パッチの画像を比較して、湿し水の供給量の適否を判定する判定工程と、前記判定工程において湿し水の供給量が不適切と判定された場合には湿し水の供給量を増減させる調整を実施する調整工程とを備えたことを特徴とする。
【００１５】
請求項９に記載の発明は、湿し水の供給量を管理するための湿し水管理用スケールを使用して湿し水の供給量を制御する湿し水制御方法であって、線数が２００線以上で面積比が６０％以上の万線または網点からなる第１の検出パッチと、線数が前記第１の検出パッチより小さく面積比が前記第１の検出パッチより大きい万線または網点からなる第２の検出パッチとを備え、前記第２の検出パッチは、湿し水の供給量を適正に制御したときの濃度が前記第１の検出パッチの濃度と近くなるような、互いに異なる面積比を有する複数の検出パッチより構成されるとともに、印刷版における印刷方向に対して直交する方向の両端付近において、印刷方向を長手方向として配置された湿し水管理用スケールを備えた印刷版を製版する製版工程と、前記製版工程で製版した印刷版を用い、適正な湿し水の供給量で印刷を行うテスト印刷工程と、前記テスト印刷工程で印刷した印刷物における前記第１の検出パッチと前記複数の第２の検出パッチのうちのいずれかの第２の検出パッチの濃度が一致するような前記第１の検出パッチの面積比または線数と前記第２の検出パッチの面積比または線数との組み合わせを認定する認定工程と、実際の印刷物の絵柄とともに、前記認定工程で認定した面積比または線数を有する前記第１の検出パッチと前記第２の検出パッチの画像を印刷する印刷工程と、前記印刷工程で印刷された第１の検出パッチと第２の検出パッチの画像を比較して、湿し水の供給量の適否を判定する判定工程と、前記判定工程において湿し水の供給量が不適切と判定された場合には湿し水の供給量を増減させる調整を実施する調整工程とを備えたことを特徴とする。
【００１６】
請求項１０に記載の発明は、請求項８または請求項９に記載の発明において、印刷後の湿し水管理用スケールの画像を撮像部により撮像し、この画像を表示画面上に拡大表示する。
【発明の効果】
【００１７】
請求項１乃至請求項１０に記載の発明によれば、第１の検出パッチと前記第２の検出パッチの画像を比較することにより、経験の浅いオペレータであっても、湿し水供給量が不足するのか過多であるのかを目視で容易に判断することが可能となる。
【発明を実施するための最良の形態】
【００１８】
以下、この発明の実施の形態を図面に基づいて説明する。
【００１９】
最初に、この発明を利用して湿し水の供給量を管理する印刷機の構成について説明する。図１は、この発明を利用して湿し水の供給量を管理する印刷機の側面概要図である。
【００２０】
この印刷機は、第１、第２の版胴１１、１２に保持された画像が記録されていない印刷版に画像を記録して製版した後、この印刷版に供給されたインキを第１、第２のブランケット胴１３、１４を介して第１、第２の圧胴１５、１６に保持された印刷用紙に転写することにより４色の印刷を行うものである。
【００２１】
この印刷機は、第１の版胴１１と、第２の版胴１２と、第１の版胴１１と当接可能に設けられた第１のブランケット胴１３と、第２の版胴１２と当接可能に設けられた第２のブランケット胴１４と、第１のブランケット胴１３に対して当接可能に設けられた第１の圧胴１５と、第２のブランケット胴１４に対して当接可能に設けられた第２の圧胴１６と、給紙部３１から供給された印刷用紙を第１の圧胴１５に渡すための給紙胴１７と、第１の圧胴１５から受け取った印刷用紙を第２の圧胴１６に渡すための渡し胴１８と、第２の圧胴１６から受け取った印刷用紙を排紙部３２に排出するためのチェーン２３をスプロケット２２との間で巻回した排紙胴１９と、印刷用紙に印刷された画像を撮像するとともに検出パッチの濃度等を測定するための撮像部６０と、入力手段および表示手段として機能するタッチパネル方式の表示画面１００を備えたコントロールパネル９９とを有する。
【００２２】
第１の版胴１１および第２の版胴１２は、その外周部に各々異なる２色分の印刷版を保持する所謂２倍胴となっている。また、第１のブランケット胴１３および第２のブランケット胴１４は、第１の版胴１１および第２の版胴１２と同径であり、各々２色分の画像を転写し得るブランケット面を有する。
【００２３】
第１のブランケット胴１３および第２のブランケット胴１４と各々当接可能に設けられた第１の圧胴１５および第２の圧胴１６は、第１、第２の版胴１１、１２および第１、第２のブランケット胴１３、１４の直径の１／２の直径を有する。また、これら第１、第２の圧胴１５、１６は、印刷用紙の先端を保持して搬送するための図示しないグリッパを有する。
【００２４】
圧胴１５に隣接して配設された給紙胴１７は、第１、第２の圧胴１５、１６と同一の直径を有する。この給紙胴１７は、その各回転毎に、給紙部３１から１枚ずつ供給された印刷用紙の先端部を図示しないグリッパにより保持して搬送する。グリッパにより保持された印刷用紙の先端部は、給紙胴１７から第１の圧胴１５への印刷用紙の受け渡し時に、第１の圧胴１５のグリッパにより保持される。
【００２５】
第１の圧胴１５と第２の圧胴１６との間に配設された渡し胴１８は、第１、第２の版胴１１、１２および第１、第２のブランケット胴１３、１４の直径と同一の直径を有する。この渡し胴１８は、第１の圧胴１５から受け取った印刷用紙の先端を図示しないグリッパにより保持して搬送し、この印刷用紙の先端を第２の圧胴１６のグリッパに受け渡す。
【００２６】
第２の圧胴１６に隣接して配設された排紙胴１９は、第１、第２の版胴１１、１２および第１、第２のブランケット胴１３、１４の直径と同一の直径を有する。この排紙胴１９は、その両端部に一対のチェーン２３を巻回した構造を有し、この一対のチェーン２３を連結する図示しない連結部材上に、図示しないグリッパが配設されている。第２の圧胴１６のグリッパにより保持された印刷用紙の先端部は、第２の圧胴１６から排紙胴１９への印刷用紙の受け渡し時に、排紙胴１９のいずれかのグリッパにより保持される。そして、この印刷用紙は、チェーン２３の移動に伴って、排紙部３２上に排出される。
【００２７】
前記給紙胴１７の端部に付設されたギヤは、従動プーリ２５と同芯状に配設されたギヤ２６と連結している。そして、印刷用モータ２７の駆動により回転する駆動プーリ２８と従動プーリ２５との間には、ベルト２９が巻回されている。このため、給紙胴１７は駆動印刷用モータ２７の駆動により回転する。一方、第１、第２の版胴１１、１２、第１、第２のブランケット胴１３、１４、第１、第２の圧胴１５、１６、給紙胴１７、渡し胴１８および排紙胴１９は、各々その端部に付設されたギヤにより連結されている。このため、駆動印刷用モータ２７の駆動により、これらの給紙胴１７、第１、第２の圧胴１５、１６、排紙胴１９、第１、第２のブランケット胴１３、１４、第１、第２の版胴１１、１２および渡し胴１８は、互いに同期して回転する。
【００２８】
第１の版胴１１の周囲には、印刷版に例えばブラック（Ｋ）のインキを供給するためのインキ供給装置２０ａと、印刷版に例えばシアン（Ｃ）のインキを供給するためのインキ供給装置２０ｂと、印刷版に湿し水を供給するための湿し水供給装置２１ａ、２１ｂとが配置されている。また、第２の版胴１２の周囲には、印刷版に例えばマゼンタ（Ｍ）のインキを供給するためのインキ供給装置２０ｃと、印刷版に例えばイエロー（Ｙ）のインキを供給するためのインキ供給装置２０ｄと、印刷版に湿し水を供給するための湿し水供給装置２１ｃ、２１ｄとが配置されている。
【００２９】
これらの湿し水供給装置２１は、湿し水を貯留する水舟と、図示しないモータの駆動により回転する水元ローラとからなる湿し水供給部と、水元ローラにより供給された湿し水を版胴１１、１２の外周部に装着された印刷版の表面に転移させるための二本の水ローラとを備える。この湿し水供給装置においては、水元ローラの回転数を変更することにより、印刷版の表面に供給する湿し水の供給量を調整することができる。
【００３０】
さらに、第１の版胴１１または第２の版胴１２の周囲には、それぞれ、第１の版胴１１の外周部に印刷版を供給するための給版部３３と、第２の版胴の外周部に印刷版を供給するための給版部３４と、第１の版胴１１の外周部に装着された印刷版に画像データに基づいて画像を記録するための画像記録装置３５と、第２の版胴１２の外周部に装着された印刷版に画像データに基づいて画像を記録するための画像記録装置３６とが配置されている。
【００３１】
以上のような構成を有する印刷機においては、給版部３３における供給カセット４１から引き出された印刷版はカッター４２により所定のサイズに切断される。そして、切断されたシート状の印刷版の先端部は、図示しないガイドローラおよびガイド部材により案内され、第１の版胴１１のくわえ爪にくわえられる。そして、第１の版胴１１が図示しないモータの駆動により低速で回転し、印刷版が第１の版胴１１の外周部に巻き付けられ、印刷版の後端部は他方のくわえ爪によりくわえられる。この状態において、第１の版胴１１を低速で回転させながら、画像記録装置３５により第１の版胴１１の外周部に保持された印刷版の表面に変調されたレーザビームを照射し、画像を記録する。
【００３２】
同様に、給版部３４における供給カセット４３から引き出された印刷版はカッター４４により所定のサイズに切断される。そして、切断されたシート状の印刷版の先端部は、図示しないガイドローラおよびガイド部材により案内され、第２の版胴１２のくわえ爪にくわえられる。そして、第２の版胴１２が図示しないモータの駆動により低速で回転し、印刷版が第２の版胴１２の外周部に巻き付けられ、印刷版の後端部は他方のくわえ爪によりくわえられる。この状態において、第２の版胴１２を低速で回転させながら、画像記録装置３６により第２の版胴１２の外周部に保持された印刷版の表面に変調されたレーザビームを照射し、画像を記録する。
【００３３】
なお、第１の版胴１１の外周部には、ブラックのインキで印刷を行うための印刷版と、シアンのインキで印刷を行うための印刷版とが装着される。これら２枚の印刷版は、均等に振り分けられた状態（すなわち互いに１８０度離隔した状態）となる位置に配置され、画像記録装置３５はこれらの印刷版に画像を記録する。同様に、第２の版胴１２の外周部には、マゼンタのインキで印刷を行うための印刷版と、イエローのインキで印刷を行うための印刷版と装着される。これら２枚の印刷版も、均等に振り分けられた状態となる位置に配置され、画像記録装置３６はこれらの印刷版に画像を記録して、製版工程が終了する。
【００３４】
製版工程が完了すれば、第１、第２の版胴１１、１２上の印刷版を用いて印刷用紙に印刷を行う印刷工程を実行する。この印刷工程は、次のようにして実行される。
【００３５】
すなわち、先ず、各湿し水供給装置２１および各インキ供給装置２０を第１、第２の版胴１１、１２上に保持された印刷版のうちの対応する印刷版とのみ当接させる。これにより、各印刷版には対応する各湿し水供給装置２１および各インキ供給装置２０から湿し水とインキとが供給される。そして、印刷版に供給されたインキは、第１、第２のブランケット胴１３、１４の対応する領域に転写される。
【００３６】
そして、印刷用紙を給紙胴１７に供給する。この印刷用紙は、給紙胴１７から第１の圧胴１５に渡される。印刷用紙を受け取った第１の圧胴１５が回転を続けると、第１の圧胴１５は、第１の版胴１１および第１のブランケット胴１３の１／２の直径を有することから、第１の圧胴１５の外周部に保持された印刷用紙には、その１回転目においてブラックのインキが、また、その２回転目においてシアンのインキが転写される。
【００３７】
第１の圧胴１５が２回転すれば、印刷用紙は第１の圧胴１５から渡し胴１８を介して第２の圧胴に渡される。印刷用紙を受け取った第２の圧胴１６が回転を続けると、第２の圧胴１６は、第２の版胴１２および第２のブランケット胴１４の１／２の直径を有することから、第２の圧胴１６の外周部に保持された印刷用紙には、その１回転目においてマゼンタのインキが、また、その２回転目においてイエローのインキが転写される。
【００３８】
このようにして、４色の印刷が終了した印刷用紙の先端部は、第２の圧胴１６から排紙胴１９に渡される。そして、４色の印刷が終了した印刷用紙は、一対のチェーン２３の駆動により、排紙部２８に向けて搬送されて排出される。
【００３９】
印刷工程が終了すれば、印刷に使用した印刷版を排出する。そして、図示しないブランケット胴洗浄装置により第１、第２のブランケット胴１３、１４を洗浄して印刷工程を終了する。
【００４０】
次に、上述した印刷機において、この発明に係る湿し水管理用スケールを用いた湿し水制御方法について説明する。図２は、この発明に係る湿し水管理用スケールを構成する三個のスケールＰ１、Ｐ２、Ｐ３が、絵柄２０１とともに印刷された印刷用紙２００を示す模式図である。
【００４１】
この印刷用紙２００には、印刷方向（図２における上下方向）に対して直交する方向の左右両端付近において、印刷方向を長手方向として配置された一対のスケールＰ１、Ｐ２と、印刷方向の後端において印刷方向に直交する方向を長手方向として配置されたスケールＰ３とが印刷されている。すなわち、この印刷用紙を印刷した印刷版には、印刷版における印刷方向に対して直交する方向の両端付近において、印刷方向を長手方向として配置されたスケールＰ１、Ｐ２と、印刷版の咥え尻側に印刷方向に直交する方向を長手方向として配置されたスケールＰ３とが形成されていることになる。なお、スケールＰ３は、刷機のインキ供給装置２０における各インキキーに対応する領域Ｒ１〜Ｒ５のうちの領域Ｒ２〜Ｒ４にわたって配置されている。
【００４２】
一対のスケールＰ１、Ｐ２は、イエロー用の領域１と、マゼンタ用の領域２と、シアン用の領域３と、ブラック用の領域４とから構成される。また、スケールＰ３は、イエロー用の領域５と、マゼンタ用の領域６と、シアン用の領域７と、ブラック用の領域８とから構成される。
【００４３】
図３は、この発明に係る湿し水管理用スケールを構成するスケールＰ１、Ｐ２を示す説明図である。なお、図３（ａ）はイエロー用の領域１を、図３（ｂ）はマゼンタ用の領域２を、図３（ｃ）はシアン用の領域３を、図３（ｄ）はブラック用の領域４を、各々、示している。なお、図３の横方向は印刷方向と対応している。
【００４４】
図３（ａ）に示すイエロー用の領域１には、イエローのインキで印刷された５個の第１の検出パッチＰＹと、イエローのインキで印刷された５個の第２の検出パッチＲＹ１、ＲＹ２、ＲＹ３、ＲＹ４、ＲＹ５（これらを総称する場合には「第２の検出パッチＲＹ」という）が配置されている。第１の検出パッチＰＹは、各々、第２の検出パッチＲＹ１、ＲＹ２、ＲＹ３、ＲＹ４、ＲＹ５の内部に配置されている。
【００４５】
図３（ｂ）に示すマゼンタ用の領域２には、マゼンタのインキで印刷された５個の第１の検出パッチＰＭと、マゼンタのインキで印刷された５個の第２の検出パッチＲＭ１、ＲＭ２、ＲＭ３、ＲＭ４、ＲＭ５（これらを総称する場合には「第２の検出パッチＲＭ」という）が配置されている。第１の検出パッチＰＭは、各々、第２の検出パッチＲＭ１、ＲＭ２、ＲＭ３、ＲＭ４、ＲＭ５の内部に配置されている。
【００４６】
図３（ｃ）に示すシアン用の領域３には、シアンのインキで印刷された５個の第１の検出パッチＰＣと、シアンのインキで印刷された５個の第２の検出パッチＲＣ１、ＲＣ２、ＲＣ３、ＲＣ４、ＲＣ５（これらを総称する場合には「第２の検出パッチＲＣ」という）が配置されている。第１の検出パッチＰＣは、各々、第２の検出パッチＲＣ１、ＲＣ２、ＲＣ３、ＲＣ４、ＲＣ５の内部に配置されている。
【００４７】
図３（ｄ）に示すブラック用の領域４には、ブラックのインキで印刷された５個の第１の検出パッチＰＫと、ブラックのインキで印刷された５個の第２の検出パッチＲＫ１、ＲＫ２、ＲＫ３、ＲＫ４、ＲＫ５（これらを総称する場合には「第２の検出パッチＲＫ」という）が配置されている。第１の検出パッチＰＫは、各々、第２の検出パッチＲＫ１、ＲＫ２、ＲＫ３、ＲＫ４、ＲＫ５の内部に配置されている。
【００４８】
第１の検出パッチＰＹ、ＰＭ、ＰＣ、ＰＫは、その線数（１インチあたりに引くことができる線の数であり、解像度を表す）が４００線であり、総面積に対する画線部の面積の割合を示すデューティ比（面積比）が６７％である万線パッチ（万線からなるパッチ）から構成される。また、第２の検出パッチＲＹ、ＲＭ、ＲＣ、ＲＫは、その線数が１５０線である網点パッチ（網点からなるパッチ）から構成される。そして、その網点面積率（面積比）は、例えば、ＲＹ１、ＲＭ１、ＲＣ１、ＲＫ１が９６％、ＲＹ２、ＲＭ２、ＲＣ２、ＲＫ２が９４％、ＲＹ３、ＲＭ３、ＲＣ３、ＲＫ３が８８％、ＲＹ４、ＲＭ４、ＲＣ４、ＲＫ４が８４％、ＲＹ５、ＲＭ５、ＲＣ５、ＲＫ５が８０％となっている。
【００４９】
図４は、他の湿し水管理用スケールを構成するスケールＰ３を示す説明図である。なお、図４（ａ）はイエロー用の領域５を、図４（ｂ）はマゼンタ用の領域６を、図４（ｃ）はシアン用の領域７を、図４（ｄ）はブラック用の領域８を、各々、示している。図４の横方向は印刷方向の直交方向と対応する。
【００５０】
図４（ａ）に示すイエロー用の領域５には、イエローのインキで印刷された５個の第１の検出パッチＰＹと、イエローのインキで印刷された５個の第２の検出パッチＲＹ１、ＲＹ２、ＲＹ３、ＲＹ４、ＲＹ５が配置されている。第１の検出パッチＰＹは、各々、第２の検出パッチＲＹ１、ＲＹ２、ＲＹ３、ＲＹ４、ＲＹ５の内部に配置されている。
【００５１】
図４（ｂ）に示すマゼンタ用の領域６には、マゼンタのインキで印刷された５個の第１の検出パッチＰＭと、マゼンタのインキで印刷された５個の第２の検出パッチＲＭ１、ＲＭ２、ＲＭ３、ＲＭ４、ＲＭ５が配置されている。第１の検出パッチＰＭは、各々、第２の検出パッチＲＭ１、ＲＭ２、ＲＭ３、ＲＭ４、ＲＭ５の内部に配置されている。
【００５２】
図４（ｃ）に示すシアン用の領域７には、シアンのインキで印刷された５個の第１の検出パッチＰＣと、シアンのインキで印刷された５個の第２の検出パッチＲＣ１、ＲＣ２、ＲＣ３、ＲＣ４、ＲＣ５が配置されている。第１の検出パッチＰＣは、各々、第２の検出パッチＲＣ１、ＲＣ２、ＲＣ３、ＲＣ４、ＲＣ５の内部に配置されている。
【００５３】
図４（ｄ）に示すブラック用の領域８には、ブラックのインキで印刷された５個の第１の検出パッチＰＫと、ブラックのインキで印刷された５個の第２の検出パッチＲＫ１、ＲＫ２、ＲＫ３、ＲＫ４、ＲＫ５が配置されている。第１の検出パッチＰＫは、各々、第２の検出パッチＲＫ１、ＲＫ２、ＲＫ３、ＲＫ４、ＲＫ５の内部に配置されている。
【００５４】
第１の検出パッチＰＹ、ＰＭ、ＰＣ、ＰＫは、その線数（１インチあたりに引くことができる線の数であり、解像度を表す）が４００線であり、総面積に対する画線部の面積の割合を示すデューティ比（面積比）が６７％である万線パッチ（万線からなるパッチ）から構成される。また、第２の検出パッチＲＹ、ＲＭ、ＲＣ、ＲＫは、その線数が１５０線である網点パッチ（網点からなるパッチ）から構成される。そして、その網点面積率（面積比）は、例えば、ＲＹ１、ＲＭ１、ＲＣ１、ＲＫ１が８２％、ＲＹ２、ＲＭ２、ＲＣ２、ＲＫ２が８１％、ＲＹ３、ＲＭ３、ＲＣ３、ＲＫ３が８０％、ＲＹ４、ＲＭ４、ＲＣ４、ＲＫ４が７９％、ＲＹ５、ＲＭ５、ＲＣ５、ＲＫ５が７８％となっている。
【００５５】
なお、上述した説明においては、説明の便宜上、第２の検出パッチＲＹ、ＲＭ、ＲＣ、ＲＫの網点面積率を各色で同じものとして説明しているが、この網点面積率は、実際には、各色毎に異なるものとなる。
【００５６】
これらの湿し水管理用スケールを構成するスケールＰ１、Ｐ２、Ｐ３は、湿し水の供給量が不足するのか過剰なのかを目視で判定するために使用される。すなわち、第１の検出パッチＰＹと第２の検出パッチＲＹとを目視で比較することでイエローの印刷版の湿し水の供給量が不足するのか過剰なのかが判定され、第１の検出パッチＰＭと第２の検出パッチＲＭとを目視で比較することでマゼンタの印刷版の湿し水の供給量が不足するのか過剰なのかが判定され、第１の検出パッチＰＣと第２の検出パッチＲＣとを目視で比較することでシアンの印刷版の湿し水の供給量が不足するのか過剰なのかが判定され、第１の検出パッチＰＫと第２の検出パッチＲＫとを目視で比較することでブラックの印刷版の湿し水の供給量が不足するのか過剰なのかが判定される。
【００５７】
第１の検出パッチＰＹ、ＰＭ、ＰＣ、ＰＫと第２の検出パッチＲＹ、ＲＭ、ＲＣ、ＲＫとを目視で比較することで湿し水の供給量が不足するのか過剰なのかを判定できるのは、次のような理由による。
【００５８】
すなわち、線数が高い第１の検出パッチＰＹ、ＰＭ、ＰＣ、ＰＫは、湿し水の供給量の変化に対する濃度変化が大きいのに対し、線数が低い第２の検出パッチＲＹ、ＲＭ、ＲＣ、ＲＫは湿し水の供給量の変化に対する濃度変化が小さい。このため、第２の検出パッチＲＹ、ＲＭ、ＲＣ、ＲＫの網点面積率（面積比）を第１の検出パッチＰＹ、ＰＭ、ＰＣ、ＰＫのデューティ比（面積比）より大きくしておき、適正水量の時に、第１の検出パッチＰＹ、ＰＭ、ＰＣ、ＰＫの濃度と第２の検出パッチＲＹ、ＲＭ、ＲＣ、ＲＫのうちのいずれかの濃度とが略同一となるように、第１の検出パッチＰＹ、ＰＭ、ＰＣ、ＰＫのデューティ比（面積比）と第２の検出パッチＲＹ、ＲＭ、ＲＣ、ＲＫの網点面積率（面積比）を設定することで、第１の検出パッチＰＹ、ＰＭ、ＰＣ、ＰＫと第２の検出パッチＲＹ、ＲＭ、ＲＣ、ＲＫとを目視で比較して湿し水の供給量が不足するのか過剰なのかを判定することができる。
【００５９】
なお、上述した特許文献２に記載の湿し水管理用スケールは、印刷版の咥え尻側に印刷方向に直交する方向を長手方向として配置されているのに対し、この発明に係るスケールＰ１、Ｐ２は、印刷版における印刷方向に対して直交する方向の両端付近において、印刷方向を長手方向として配置されている。これは、次のような理由による。
【００６０】
すなわち、第１の理由は、印刷版における印刷方向に対して直交する方向の両端付近における湿し水の供給量の変化に対する濃度変化の割合が、印刷版における印刷方向に対して直交する方向の中央部付近より大きいためである。このため、特許文献２のように各インキキーに対応する領域毎にスケールを配置しなくても、印刷版における印刷方向に対して直交する方向の両端付近にスケールＰ１、Ｐ２を配置することにより、湿し水の供給量を適切に管理することが可能となる。
【００６１】
また、第２の理由は、スケールの占める面積の問題である。すなわち、この発明に係る湿し水管理用スケールは、前記第２の検出パッチとして、互いに異なる面積比を有する複数の検出パッチを採用することから、印刷版あるいは印刷用紙上における専有面積が大きくなる。このため、特許文献２のように各インキキーに対応する領域毎にスケールを配置した場合には、印刷版の咥え尻側にスケールのための大きな面積が必要となり、絵柄の面積が小さくなるという問題が生ずる。このため、この発明においては、印刷版における印刷方向に対して直交する方向の両端付近のスペースにこの発明に係るスケールＰ１、Ｐ２を配置するようにしている。
【００６２】
以下、この発明に係る湿し水管理用スケールＰを利用して湿し水の供給量の適否を判定する湿し水制御方法について説明する。
【００６３】
湿し水の適否を判定するためには、製版時に印刷版に対して、絵柄２０１とともに、第１の検出パッチＰＹ、ＰＭ、ＰＣ、ＰＫと第２の検出パッチＲＹ、ＲＭ、ＲＣ、ＲＫとを形成する。すなわち、ブラックの色の印刷版には、図１に示す画像記録装置３５を使用して、第１の検出パッチＰＫと、第２の検出パッチＲＫを形成する。同様に、シアンの色の印刷版には、画像記録装置３５を使用して、第１の検出パッチＰＣと、第２の検出パッチＲＣとを形成する。また、マゼンタの色の印刷版には、図１に示す画像記録装置３６を使用して、第１の検出パッチＰＭと、第２の検出パッチＲＭを形成する。同様に、イエローの色の印刷版には、画像記録装置３６を使用して、第１の検出パッチＰＹと、第２の検出パッチＲＹを形成する。
【００６４】
このとき、第１の検出パッチＰＹ、ＰＭ、ＰＣ、ＰＫは、その線数が４００線であり、デューティ比が６７％である万線パッチとする。一方、第２の検出パッチＲＹ、ＲＭ、ＲＣ、ＲＫは、その線数が１５０線であり、その網点面積率が、たとえば、６０％〜９０％の範囲で１％ずつ変化する複数の網点パッチを形成しておく。
【００６５】
次に、製版後の印刷版を使用してテスト印刷を行う。そして、湿し水の供給量が適正となったときの印刷物を目視により確認する。
【００６６】
図５は、このときの印刷時の湿し水の供給量（印刷水量）と図３に示すスケールＰ１、Ｐ２における各検出パッチの濃度との関係を模式的に示すグラフである。
【００６７】
この図において、縦軸は検出パッチの濃度を、また、横軸は印刷水量を示している。横軸の０は、印刷水量が適切な状態を示している。また、太線は、例えば、第１の検出パッチＰＭの濃度の変化を、また、細線は第２の検出パッチＲＭの濃度の変化を示している。なお、細線は、それぞれ上から、第２の検出パッチＲＭ１、ＲＭ２、ＲＭ３、ＲＭ４、ＲＭ５の網点面積率が、各々、９６％、９２％、８８％、８４％、８０％の場合の濃度の変化を示している。
【００６８】
上述したように、線数が高い第１の検出パッチＰＭは、湿し水の供給量の変化に対する濃度変化が大きいのに対し、線数が低い第２の検出パッチＲＭ１、ＲＭ２、ＲＭ３、ＲＭ４、ＲＭ５は湿し水の供給量の変化に対する濃度変化が小さい。そして、このグラフの場合には、網点面積率が８８％の第２の検出パッチＲＭ３の濃度が、湿し水の供給量を適正に制御したときに、前記第１の検出パッチＰＭの濃度と略同一となる。また、湿し水の供給量がやや多い場合には、第２の検出パッチＲＭ４またはＲＭ５の濃度が、第１の検出パッチＰＭの濃度と略同一となり、湿し水の供給量がやや少ない場合には、第２の検出パッチＲＭ１またはＲＭ２の濃度が、第１の検出パッチＰＭの濃度と略同一となる。
【００６９】
図６は、このときの印刷時の湿し水の供給量（印刷水量）と図４に示すスケールＰ３における各検出パッチの濃度との関係を模式的に示すグラフである。
【００７０】
太線は、例えば、第１の検出パッチＰＭの濃度の変化を、また、細線は第２の検出パッチＲＭの濃度の変化を示している。なお、細線は、それぞれ上から、第２の検出パッチＲＭ１、ＲＭ２、ＲＭ３、ＲＭ４、ＲＭ５の網点面積率が、各々、８２％、８１％、８０％、７９％、７８％の場合の濃度の変化を示している。このグラフの場合には、網点面積率が８０％の第２の検出パッチＲＭ３の濃度が、湿し水の供給量を適正に制御したときに、前記第１の検出パッチＰＭの濃度と略同一となる。また、湿し水の供給量がやや多い場合には、第２の検出パッチＲＭ４またはＲＭ５の濃度が、第１の検出パッチＰＭの濃度と略同一となり、湿し水の供給量がやや少ない場合には、第２の検出パッチＲＭ１またはＲＭ２の濃度が、第１の検出パッチＰＭの濃度と略同一となる。
【００７１】
従って、このテスト印刷により、適正な湿し水の供給量で印刷を行ったときに、第２の検出パッチＲＭ１、ＲＭ２、ＲＭ３、ＲＭ４、ＲＭ５のいずれかの濃度が第１の検出パッチＰＭの濃度と一致し、かつ、他の第２の検出パッチＲＭ１、ＲＭ２、ＲＭ３、ＲＭ４、ＲＭ５の濃度が第１の検出パッチＰＭの濃度と近くなるような、第１の検出パッチのデューティ比と互いに異なる面積比を有する複数の第２の検出パッチＲＭ１、ＲＭ２、ＲＭ３、ＲＭ４、ＲＭ５の網点面積率との組み合わせを認定することができる。
【００７２】
このため、このような第１の検出パッチＰＭと、異なる面積比を有する複数の第２の検出パッチＲＭ１、ＲＭ２、ＲＭ３、ＲＭ４、ＲＭ５とを製版時に作成し、これを印刷時に絵柄とともに印刷することにより、これらの第１の検出パッチＰＭの画像と第２の検出パッチＲＭ１、ＲＭ２、ＲＭ３、ＲＭ４、ＲＭ５の濃度を目視で比較することにより、経験の浅いオペレータであっても、湿し水供給量が不足するのか過多であるのかを目視で容易に判断することが可能となる。これは、他の色についても同一である。
【００７３】
湿し水供給量が不足なのか過多であるのかが判断されると、作業者は調整しようとする色版の印刷版に湿し水を供給する湿し水供給装置２１の水元ローラの回転数を適宜増減する。すなわち、湿し水供給量が不足していると判断したとき（第２の検出パッチＲＭ１またはＲＭ２の濃度が第１の検出パッチＰＭの濃度と一致したとき）には水元ローラの回転数を増大させる。反対に、湿し水供給量が過多であると判断したとき（第２の検出パッチＲＭ４またはＲＭ５の濃度が第１の検出パッチＰＭの濃度と一致したとき）には水元ローラの回転数を減少させる。水元ローラの回転数をこのように調整することにより、第２の検出パッチＲＭ３の濃度を第１の検出パッチＰＭの濃度に一致させるように湿し水の調整を行う。この湿し水供給量の調整に合わせてインキ供給量を調整するようにしてもよい。
【００７４】
ところで、湿し水の膜厚分布量が印刷紙幅方向について均一にならないことがある。すなわち、絵柄が形成される印刷紙幅方向中央位置において比較的多量の湿し水が供給され、紙端である印刷幅方向端部位置において比較的少量の湿し水が供給されることがある。
【００７５】
一方、スケールＰ１、Ｐ２はこれらのスケールが形成される印刷幅方向位置（すなわち印刷幅方向端部位置）において供給される湿し水の量を基準に各検出パッチＰＭ，ＲＭの網点面積率を設定している。
【００７６】
湿し水量判定を行う際には、上記湿し水分布の不均一性を考慮することが望ましい。たとえば、スケールＰ１，Ｐ２において第２の検出パッチＲＭ３が第１の検出パッチＰＭと濃度が一致しても、それは印刷用紙端部位置において湿し水が適正になったということであるので、印刷用紙幅中央位置（＝絵柄位置）では湿し水過剰である可能性もある。したがってこの場合には、第２の検出パッチＲＭ１またはＲＭ２の濃度が第１の検出パッチＰＭと一致するように湿し水を減少させるように調整すればよい。
【００７７】
なお、第１の検出パッチＰＭの濃度と第２の検出パッチＲＭ１、ＲＭ２、ＲＭ３、ＲＭ４、ＲＭ５の濃度を目視で比較するとともに、あるいは、目視で比較するかわりに、表示画面１００上に拡大表示した上で、これらを比較するようにしてもよい。
【００７８】
すなわち、ＯＫシートと呼称される適切な印刷物が印刷できるまでは、上述したように、オペレータが印刷物を印刷機から抜き取り、この画像を目視で観察すればよいが、ＯＫシートが印刷された後で、通常の印刷が行われている場合には、印刷用紙を印刷機から抜き取るにはスキルが必要であり、また、印刷物に傷を付けやすい。このような場合には、表示部１００上に第１の検出パッチＰＭの画像と第２の検出パッチＲＭ１、ＲＭ２、ＲＭ３、ＲＭ４、ＲＭ５の画像を拡大表示し、これらを表示部１００上で表示するようにしてもよい。
【００７９】
図７は、スケールＰ１、Ｐ２、Ｐ３を表示部１００上に拡大表示した状態を示す説明図である。
【００８０】
この状態においては、スケールＰ１、Ｐ２の拡大表示画像Ｐ１Ｌ、Ｐ２Ｌは、スケールＰ１、Ｐ２の画像とともに表示され、スケールＰ３の拡大表示画像Ｐ３Ｌは単独で表示されている。このような状態において、第１の検出パッチＰＭの濃度と第２の検出パッチＲＭ１、ＲＭ２、ＲＭ３、ＲＭ４、ＲＭ５の濃度を、表示画面１００上にて目視で比較するようにすればよい。
【００８１】
このときに、目視での比較が難しいイエローについては、スケールの画像をＲＧＢに分解したうえで補色の関係にあるブルーを利用することにより、コントラストを高めて比較が容易になるようにしてもよい。また、このときに、輝度レンジを圧縮または伸長することにより、視認が容易となるような画像処理を行ってもよい。さらには、スケールの画像データの輝度分布のヒストグラムをとることにより、湿し水の供給量の適否を判断してもよく、また、この判断結果をアイコン等で表示してもよい。
【００８２】
なお、上述した実施形態においては、線数を４００線と１５０線とに固定しているが、この線数を変えて濃度を調整するようにしてもよい。すなわち、線数が比較的小さな場合には、湿し水の供給量が増加すれば濃度は低くなり、湿し水の供給量と濃度との関係は直線的となるが、線数が比較的大きな場合には、湿し水の増加により濃度が高くなる領域が存在し、湿し水の供給量と濃度との関係が略Ｕ字状となる場合がある。このため、面積率を調整するかわりに、線数を調整するようにしてもよい。この場合には、第２の検出パッチＲＹ、ＲＭ、ＲＣ、ＲＫとして、その線数が、たとえば、１２５線〜１７５線の範囲で順次変化する複数の網点パッチを形成してテスト印刷をおこなえばよい。
【００８３】
また、上述した実施形態においては、第１の検出パッチＰＹ、ＰＭ、ＰＣ、ＰＫとして、湿し水の供給量の管理として万線から成る検出パッチを使用したが、網点からなる検出パッチを採用してもよい。
【００８４】
また、上述した実施形態においては、第２の検出パッチＲＹ、ＲＭ、ＲＣ、ＲＫとして、網点からなる検出パッチを採用している。これは、万線からなる検出パッチを使用したときには、線数が小さくなった場合に、目視による確認時に線が目立ってしまい、濃度の確認が困難となることを防止するためである。ただし、第２の検出パッチＲＹ、ＲＭ、ＲＣ、ＲＫとして、万線からなる検出パッチを使用するようにしてもよい。
【００８５】
さらに、上述した第１の検出パッチＰＹ、ＰＭ、ＰＣ、ＰＫの線数は印刷水量の変化に対する濃度変化を大きくするために２００線以上であることが好ましく、３００線以上であることが特に好ましい。そして、そのときのデューティ比（面積比）は、６０％以上であることが好ましい。ここで、デューティ比を６０％未満の低い値とすると、印刷水量に対する濃度の変化が図５および図６で示すグラフ形状でＵ字形になり好ましくない。一方、上述した第２の検出パッチＲＹ、ＲＭ、ＲＣ、ＲＫの線数は、２００線未満、より好ましくは１７５線以下であることが好ましい。これは、第２の検出パッチＲＹ、ＲＭ、ＲＣ、ＲＫでは印刷水量の変化に対する濃度の変化を小さくするためである。このような検出パッチの組み合わせを使用した場合には、目視による濃度の比較により、湿し水の供給量の適否を好適に判定することが可能となる。
【図面の簡単な説明】
【００８６】
【図１】この発明を利用して湿し水の供給量を管理する印刷機の側面概要図である。
【図２】この発明に係る湿し水管理用スケールを構成する三個のスケールＰ１、Ｐ２、Ｐ３が、絵柄２０１とともに印刷された印刷用紙２００を示す模式図である。
【図３】この発明に係る湿し水管理用スケールを構成するスケールＰ１、Ｐ２を示す説明図である。
【図４】湿し水管理用スケールを構成するスケールＰ３を示す説明図である。
【図５】印刷時の湿し水の供給量（印刷水量）とスケールＰ１、Ｐ２における各検出パッチの濃度との関係を模式的に示すグラフである。
【図６】印刷時の湿し水の供給量（印刷水量）とスケールＰ３における各検出パッチの濃度との関係を模式的に示すグラフである。
【図７】スケールＰ１、Ｐ２、Ｐ３を表示部１００上に拡大表示した状態を示す説明図である。
【符号の説明】
【００８７】
１１      第１の版胴
１２      第２の版胴
１３      第１のブランケット胴
１４      第２のブランケット胴
１５      第１の圧胴
１６      第２の圧胴
１７      給紙胴
１８      渡し胴
１９      排紙胴
２０      インキ供給装置
２１      湿し水供給装置
２２      スプロケット
２３      チェーン
２７      印刷用モータ
３１      給紙部
３２      排紙部
３３      給版部
３４      給版部
３５      画像記録装置
３６      画像記録装置
６０      撮像部
９９      コントロールパネル
１００    表示画面
２００    印刷用紙
２０１    絵柄
Ｐ１      スケール
Ｐ２      スケール
Ｐ３      スケール
ＰＹ      第１の検出パッチ
ＲＹ      第２の検出パッチ
ＰＭ      第１の検出パッチ
ＲＭ      第２の検出パッチ
ＰＣ      第１の検出パッチ
ＲＣ      第２の検出パッチ
ＰＫ      第１の検出パッチ
ＲＫ      第２の検出パッチ
【図１】
2009056760.tif 000003
【図２】
2009056760.tif 000004
【図３】
2009056760.tif 000005
【図４】
2009056760.tif 000006
【図５】
2009056760.tif 000007
【図６】
2009056760.tif 000008
【図７】
2009056760.tif 000009